(57)【要約】【課題】サービスが、動的に選択されかつ動的に指定され、ネットワークが、効率的に使用され、端末および／またはカップリングインターフェースが、動的に情報を与えられ、かつより効率的にされる方法を提供する。【解決手段】サービスパラメータに定義され、かつネットワーク５にアクセスするためのアクセスシステム４を介したサービスを提供するためのカップリング３を介した通信は、サービス選択信号、サービス定義信号、サービス情報信号を導入することによって、および、端末１および／またはカップリングインターフェース２およびカップリング３およびアクセスシステム４を構成することによって、より動的かつより効率的に行うことができる。【選択図】      図１
2004208283.tif 000002
【特許請求の範囲】
【請求項１】
サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法であって、
（ａ）前記端末（１）において、サービス選択信号を発生し、かつ前記サービス選択信号を前記端末（１）からサービス選択サーバ（９）に送信する（１００、１０１）ステップと、
（ｂ）前記アクセスシステム（４）の少なくとも一部および前記カップリング（３）の少なくとも一部を構成するために、前記サービス選択サーバ（９）において、サービス定義信号に応じて、構成信号を発生し、かつ前記構成信号を前記アクセスシステム（４）に送信する（１０４）ステップと、
（ｃ）前記サービス選択サーバ（９）において、サービス情報信号を発生し、かつ前記サービス情報信号を前記端末（１）および／または前記カップリングインターフェース（２）に送信する（１０５）ステップと、
（ｄ）前記端末（１）および／または前記カップリングインターフェース（２）において、少なくとも１つのサービスパラメータによって定義される少なくとも１つのカップリング（３）を介して前記供給サーバ（６）と通信する（１０７、１０８）ステップとを含むことを特徴とする方法。
【請求項２】
前記ステップ（ｂ）が、前記サービス選択サーバ（９）において、前記サービス選択信号に応じて、前記サービス定義信号を発生するステップ（ｂ１）を含むことを特徴とする、請求項１に記載の方法。
【請求項３】
前記ステップ（ｂ）が、前記サービス選択サーバ（９）において、前記サービス選択信号によって定義される前記供給サーバ（６）から前記サービス定義信号を受信するステップ（ｂ２）を含むことを特徴とする、請求項１に記載の方法。
【請求項４】
前記カップリングインターフェース（２）が、恒久的なチャネルに結合され、前記ステップ（ｄ）が、前記端末（１）および／または前記カップリングインターフェース（２）において、前記サービス情報信号に応じて、前記端末（１）および／または前記カップリングインターフェース（２）の少なくとも一部を構成するステップ（ｄ１）と、前記端末（１）および／または前記カップリングインターフェース（２）において、前記カップリングインターフェース（２）から前記アクセスシステム（４）に仮想接続をセットアップするステップ（ｄ２）と、前記アクセスシステム（４）において、前記アクセスシステム（４）から前記供給サーバ（６）に仮想接続をセットアップするステップ（ｄ３）とを含み、前記サービスパラメータが、前記サービス情報信号を介して前記端末（１）および／または前記カップリングインターフェース（２）に供給されることを特徴とする、請求項１、２、または３に記載の方法。
【請求項５】
前記カップリングインターフェース（２）が、恒久的なチャネルを介して前記アクセスシステム（４）に結合されておらず、前記ステップ（ａ）が、前記端末（１）および／または前記カップリングインターフェース（２）において、前記サービス選択信号に応じて、前記カップリングインターフェース（２）から前記サービス選択サーバ（９）に仮想接続をセットアップするステップ（ａ１）と、前記端末（１）および／または前記カップリングインターフェース（２）において、前記サービス選択信号に応じて、前記端末（１）および／または前記カップリングインターフェース（２）の少なくとも一部を構成するステップ（ａ２）とを含み、前記ステップ（ｄ）が、前記アクセスシステム（４）において、前記アクセスシステム（４）から前記供給サーバ（６）に仮想接続をセットアップするステップ（ｄ３）を含み、前記サービスパラメータが、前記端末（１）および／または前記カップリングインターフェース（２）に事前格納されることを特徴とする、請求項１、２、または３に記載の方法。
【請求項６】
前記ステップ（ｄ）が、前記端末（１）および／または前記カップリングインターフェース（２）において、前記サービス情報信号に応じて、前記端末（１）および／または前記カップリングインターフェース（２）の少なくとも一部を再構成するステップ（ｄ４）を含むことを特徴とする、請求項５に記載の方法。
【請求項７】
前記方法が、前記アクセスシステム（４）において、一方で前記端末（１）および／または前記カップリングインターフェース（２）と、他方で前記供給サーバ（６）との間で交換される（１０９）パケット信号を料金請求するステップ（ｅ）を含むことを特徴とする、請求項１から６のいずれか一項に記載の方法。
【請求項８】
サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うためのアクセスシステム（４）であって、信号を送信および受信するためのアクセストランシーバ（４７）を制御するためのアクセスプロセッサシステム（４０）を含み、前記アクセスプロセッサシステム（４０）が、
（ａ）前記サービス選択サーバ（９）から構成信号を受信するための受信プロセッサシステム部（４１）と、
（ｂ）前記構成信号に応じて、前記アクセスシステム（４）の少なくとも一部、および前記カップリング（３）の少なくとも一部を構成する（１０４）ための構成プロセッサシステム部（４２）とを含むことを特徴とするアクセスシステム。
【請求項９】
信号を送信および受信するためのアクセストランシーバ（４７）を制御するため、および、サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うための前記アクセスシステム（４）において使用するためのアクセスプロセッサシステム（４０）を介して実行されるアクセスプロセッサプログラム製品であって、
（ａ）前記サービス選択サーバ（９）から構成信号を受信する機能と、
（ｂ）前記構成信号に応じて、前記アクセスシステム（４）の少なくとも一部、および前記カップリング（３）の少なくとも一部を構成する（１０４）機能とを含むことを特徴とするアクセスプロセッサプログラム製品。
【請求項１０】
サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うためのサービス選択サーバ（９）であって、信号を送信および受信するためのサービス選択サーバトランシーバ（９７）を制御するためのサービス選択サーバプロセッサシステム（９０）を含み、前記サービス選択サーバプロセッサシステム（９０）が、
（ａ）前記端末（１）からサービス選択信号を受信する（１００、１０１）ための受信プロセッサシステム部（９１）と、
（ｂ）前記アクセスシステム（４）の少なくとも一部および前記カップリング（３）の少なくとも一部を構成するために、サービス定義信号に応じて、構成信号を発生し、かつ前記構成信号を前記アクセスシステム（４）に送信する（１０４）ための構成プロセッサシステム部（９２）と、
（ｃ）サービス情報信号を発生し、かつ前記サービス情報信号を前記端末（１）に送信する（１０５）ための発生プロセッサシステム部（９３）とを含むサービス選択サーバ。
【請求項１１】
信号を送信および受信するためのサービス選択サーバトランシーバを制御するため、および、サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うためのサービス選択サーバ（９）において使用するためのサービス選択サーバプロセッサシステムを介して実行されるサービス選択サーバプログラム製品であって、
（ａ）前記端末（１）からサービス選択信号を受信する（１００、１０１）機能と、
（ｂ）前記アクセスシステム（４）の少なくとも一部および前記カップリング（３）の少なくとも一部を構成するために、サービス定義信号に応じて、構成信号を発生し、かつ前記構成信号を前記アクセスシステム（４）に送信する（１０４）機能と、
（ｃ）サービス情報信号を発生し、かつ前記サービス情報信号を前記端末（１）に送信する（１０５）機能とを含むことを特徴とするサービス選択サーバプログラム製品。
【請求項１２】
サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うための端末（１）であって、信号を送信および受信するための端末トランシーバ（１７）を制御するための端末プロセッサシステム（１０）を含み、前記端末プロセッサシステム（１０）が、
（ａ）サービス選択信号を発生し、かつ前記サービス選択信号を前記端末（１）からサービス選択サーバ（９）に送信する（１００、１０１）ための選択プロセッサシステム部（１１）と、
（ｃ）前記サービス選択サーバ（９）からサービス情報信号を受信する（１０５）ための受信プロセッサシステム部（１２）と、
（ｄ）少なくとも１つのサービスパラメータによって定義される少なくとも１つのカップリング（３）を介して、前記供給サーバ（６）と通信する（１０７、１０８）ための通信プロセッサシステム部（１３）とを含むことを特徴とする端末。
【請求項１３】
信号を送信および受信するための端末トランシーバ（１７）を制御するため、および、サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うための端末（１）において使用するための端末プロセッサシステム（１０）を介して実行される端末プロセッサプログラム製品であって、
（ａ）サービス選択信号を発生し、かつ前記サービス選択信号を前記端末（１）からサービス選択サーバ（９）に送信する（１００、１０１）機能と、
（ｃ）前記サービス選択サーバ（９）からサービス情報信号を受信する機能と、
（ｄ）少なくとも１つのサービスパラメータによって定義される少なくとも１つのカップリング（３）を介して、前記供給サーバ（６）と通信する（１０７、１０８）機能とを含むことを特徴とする端末プロセッサプログラム製品。
【請求項１４】
サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うためのカップリングインターフェース（２）であって、信号を送信および受信するためのカップリングインターフェーストランシーバ（２７）を制御するためのカップリングインターフェースプロセッサシステム（２０）を含み、前記カップリングインターフェースプロセッサシステム（２０）が、
（ａ）前記端末（１）からサービス選択信号を受信し、かつサービス選択サーバ（９）に前記サービス選択信号を送信する（１００、１０１）ためのトランシービングプロセッサシステム部（２１）と、
（ｃ）前記サービス選択サーバ（９）からサービス情報信号を受信する（１０５）ための受信プロセッサシステム部（２２）と、
（ｄ）少なくとも１つのサービスパラメータによって定義される少なくとも１つのカップリング（３）を介して、前記供給サーバ（６）と通信する（１０７、１０８）ための通信プロセッサシステム部（２３）とを含むことを特徴とするカップリングインターフェース（２）。
【請求項１５】
信号を送信および受信するためのカップリングインターフェーストランシーバ（２７）を制御するため、および、サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うための前記カップリングインターフェース（２）において使用するためのカップリングインターフェースプロセッサシステム（２０）を介して実行されるカップリングインターフェースプロセッサプログラム製品であって、
（ａ）前記端末（１）からサービス選択信号を受信し、かつ前記サービス選択信号をサービス選択サーバ（９）に送信する（１００、１０１）する機能と、
（ｃ）前記サービス選択サーバ（９）からサービス情報信号を受信する（１０５）機能と、
（ｄ）少なくとも１つのサービスパラメータによって定義される少なくとも１つのカップリング（３）を介して前記供給サーバ（６）と通信する（１０７、１０８）機能とを含むことを特徴とするカップリングインターフェースプロセッサプログラム製品。
【請求項１６】
サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法において使用するための供給サーバ（６）であって、信号を送信および受信するための供給サーバトランシーバ（６７）を制御するための供給サーバプロセッサシステム（６０）を含み、前記供給サーバプロセッサシステム（６０）が、
（ｆ１）サービス選択サーバ（９）から要求信号またはサービス選択信号を受信するための受信プロセッサシステム部（６１）と、
（ｆ２）前記要求信号または前記サービス選択信号に応じて、サービス定義信号を発生するための発生プロセッサシステム部（６２）と、
（ｆ３）前記サービス選択サーバ（９）に前記サービス定義信号を送信するための送信プロセッサシステム部（６３）と、
（ｆ４）少なくとも１つのサービスパラメータによって定義される少なくとも１つのカップリング（３）を介して前記端末（１）と通信する（１０７、１０８）ための通信プロセッサシステム部（６４）とを含むことを特徴とする供給サーバ（６）。
【請求項１７】
信号を送信および受信するための供給サーバトランシーバ（６７）を制御するため、および、サービスパラメータによって定義されたサービスを提供するためのカップリング（３）を介し、かつネットワーク（５）にアクセスするためのアクセスシステム（４）を介して、カップリングインターフェース（２）を備えた端末（１）と供給サーバ（６）との間で通信するための方法を行うための前記供給サーバ（６）において使用するための供給サーバプロセッサシステム（６０）を介して実行される供給サーバプロセッサプログラム製品であって、
（ｆ１）サービス選択サーバ（９）から要求信号または前記サービス選択信号を受信する機能と、
（ｆ２）前記要求信号または前記サービス選択信号に応じて、サービス定義信号を発生する機能と、
（ｆ３）前記サービス選択サーバ（９）に前記サービス定義信号を送信する機能と、
（ｆ４）少なくとも１つのサービスパラメータによって定義される少なくとも１つのカップリング（３）を介して前記端末（１）と通信する（１０７、１０８）機能とを含むことを特徴とする供給サーバプロセッサプログラム製品。
【発明の詳細な説明】
【技術分野】
【０００１】
本発明は、サービスパラメータによって定義されたサービスを提供するためのカップリングを介し、かつネットワークにアクセスするためのアクセスシステムを介して、カップリングインターフェースを備えた端末と供給サーバとの間で通信するための方法に関する。
【０００２】
例えばビデオオンデマンドサービスの場合、前記供給サーバは、例えば、コンテンツプロバイダのサーバに対応し、例えばオーディオ／ビデオコールまたはボイスオーバーインターネットプロトコルコールの場合、前記供給サーバは、例えば他の端末などに対応する。前記端末は、例えばパソコンなどに対応し、前記カップリングインターフェースは、例えばデジタル加入者回線アクセスマルチプレクサなどに対応し、前記アクセスシステムは、例えば広帯域遠隔アクセスサーバなどに対応する。
【背景技術】
【０００３】
従来技術のシステムは、ネットワークシステムにおけるリソース確保のための装置および方法を開示する、米国特許第６，４５３，３４９号から知られている。確保メッセージおよび確認メッセージを介して、端末は、例えば帯域幅、遅延、ジッタなどのようなネットワークリソースを確保することができる。
【０００４】
知られているシステムは、とりわけ、通信ごとに必要とされるリソースの量が変動する可能性があることを考慮しないため、通信のための確保が一旦なされたならば、この通信の間、確保パラメータはそれらの値を静的に維持し、ネットワークは、これらの静的パラメータに基づいて、非効率的に全てのトラフィックを取り扱うために、不利である。
【０００５】
【特許文献１】米国特許第６，４５３，３４９号明細書
【発明の開示】
【発明が解決しようとする課題】
【０００６】
本発明の目的は、とりわけ、より動的かつ効率的であるプリアンブルに規定された方法を提供することである。
【課題を解決するための手段】
【０００７】
本発明による方法は、
（ａ）端末において、サービス選択信号を発生し、前記サービス選択信号を前記端末からサービス選択サーバに送信するステップと、
（ｂ）アクセスシステムの少なくとも一部およびカップリングの少なくとも一部を構成するために、前記サービス選択サーバにおいて、サービス定義信号に応じて、構成信号を発生し、かつ前記構成信号を前記アクセスシステムに送信するステップと、
（ｃ）前記サービス選択サーバにおいて、サービス情報信号を発生し、前記サービス情報信号を前記端末および／またはカップリングインターフェースに送信するステップと、
（ｄ）前記端末および／または前記カップリングインターフェースにおいて、少なくとも１つのサービスパラメータによって定義される少なくとも１つのカップリングを介して、前記供給サーバと通信するステップとを含むことを特徴とする。
【０００８】
ステップ（ａ）を導入することによって、端末におけるユーザは、例えばウエブをサーフィングする、電話をかける、有料テレビチャネルを注文するなどの多くのサービスから１つを選択する選択オプションを得る。また、ステップ（ｂ）によって、例えばモデム、フィルタ、（復）変調器、（逆）変換器などのアクセスシステムの部分、および、例えば非同期転送モードパイプ、マルチプロトコルラベルスイッチングパイプ、インターネットプロトコルカップリングなどのパケットスイッチングカップリングの部分は、前記サービス定義信号に準拠して構成される。これによって、前記構成信号は、前記サービス定義信号に相当するものでもしないものでもよく、前記サービス定義信号の各部分を含んでも含まなくてもよい。ステップ（ｃ）を導入することによって、端末および／またはカップリングインターフェースは、例えば使用されるカップリングなどを定義するサービス情報信号を介して情報を与えられる。最後に、ステップ（ｄ）によって、通信は、サービスパラメータによって定義されるカップリングを介して行われる。前記サービス選択サーバは、前記ネットワークもしくは前記カップリングもしくは他のカップリングを介して前記アクセスシステムに結合されるか、または、前記アクセスシステムの一部を形成するかのいずれかである。前記アクセスシステムの一部を形成する際、前記サービス選択サーバは、前記アクセスシステムの独立した部分でもよく、または、前記アクセスシステムに完全に一体化されてもよい。
【０００９】
前記サービス選択信号、前記サービス定義信号、前記構成、および前記サービス情報信号によって、サービスは、動的に選択することができ、（サービス定義信号によって）動的に指定され、ネットワークは効率的に使用され（前記構成は、例えば帯域幅、遅延、ジッタ、優先度などに関して適合されるカップリングなどを可能にする）、サービス情報信号は、端末および／またはカップリングインターフェースに動的に情報を与えるため、および、端末および／またはカップリングインターフェースの効率を上げるために使用される。前記カップリングは、パケット／セル／フレームでスイッチングされるカップリング、および／または非同期転送モードカップリングまたは他のカップリングなどとすることができる。
【００１０】
本発明による方法の第１の実施形態は、特許請求の範囲の請求項２によって規定される。
【００１１】
ステップ（ｂ１）を含むステップ（ｂ）によって、サービス選択サーバは、前記サービス選択サーバの一部を形成するか、または前記サービス選択サーバの近くにあるデータベースから、例えば帯域幅、遅延、ジッタ、優先度などのような、例えば１つまたは複数のサービスパラメータのようなサービス定義信号を検索する。この場合、前記供給サーバは、前記端末または前記コンテンツプロバイダのサーバなどに対応してもよい。
【００１２】
本発明による方法の第２の実施形態は、特許請求の範囲の請求項３によって規定される。
【００１３】
ステップ（ｂ２）を含むステップ（ｂ）によって、サービス選択サーバは、この時はコンテンツプロバイダのサーバなどに対応する前記供給サーバから、例えば帯域幅、遅延、ジッタ、優先度などのような、例えば１つまたは複数のサービスパラメータのようなサービス定義信号を検索する。これによって、前記サービス選択信号は、前記供給サーバに転送され、これに応じて、前記供給サーバが、前記サービス定義信号を前記サービス選択サーバに送るか、または、前記サービス選択信号は、前記サービス選択サーバに送られ、これに応じて、前記サービス選択サーバが、例えば要求信号などを送ることによって前記供給サーバを調査するかのいずれかである。
【００１４】
本発明による方法の第３の実施形態は、特許請求の範囲の請求項４によって規定される。
【００１５】
恒久的なチャネルを介して前記アクセスシステムに結合されている前記カップリングインターフェースの場合、ステップ（ｄ１）によって、例えばモデム、フィルタ、（復）変調器、（逆）変換器などのような端末の部分、および、例えばモデム、フィルタ、（復）変調器、（逆）変換器などのようなカップリングインターフェースの部分は、前記サービス定義信号に準拠するように構成される。前記サービスパラメータは、前記サービス情報信号を介して前記端末および／またはカップリングインターフェースに供給されることができる。ステップ（ｄ２）によって、前記カップリングインターフェースから前記アクセスシステムへの仮想接続がセットアップされ、ステップ（ｄ３）によって、前記アクセスシステムから前記供給サーバへの仮想接続がセットアップされる。前記恒久的なチャネルは、例えば統合デジタルネットワークサービスなどのＤ−チャネルのような所謂「常時オン」チャネルに対応し、前記カップリングと一致してもしなくてもよい。
【００１６】
本発明による方法の第４の実施形態は、特許請求の範囲の請求項５によって規定される。
【００１７】
恒久的なチャネルを介して前記アクセスシステムに結合されていない前記カップリングインターフェースの場合、ステップ（ａ１）によって、前記サービス選択信号に応じて、前記カップリングインターフェースから前記サービス選択サーバへの仮想接続がセットアップされ、ステップ（ａ２）によって、例えばモデム、フィルタ、（復）変調器、（逆）変換器などのような前記端末の部分、および、例えばモデム、フィルタ、（復）変調器、（逆）変換器などのような前記カップリングインターフェースの部分は、前記サービス選択信号に準拠するように構成される（前記サービス選択信号は、例えば以前使用された古いサービス定義信号、または前記セットアップなどのために使用される所定のサービス定義信号を指す）。前記サービスパラメータは、前記端末および／または前記カップリングインターフェースに事前格納される。ステップ（ｄ３）によって、前記アクセスシステムから前記供給サーバへの仮想接続がセットアップされる。
【００１８】
本発明による方法の第５の実施形態は、特許請求の範囲の請求項６によって規定される。
【００１９】
ステップ（ｄ４）によって、（例えば、以前使用された前記古いサービス定義信号、または前記セットアップなどのために使用される前記所定のサービス定義信号を適合するために）前記サービス情報信号に応じて、前記端末および／または前記カップリングインターフェースの前記部分は、この時点で再構成されることができる。
【００２０】
本発明による方法の第６の実施形態は、特許請求の範囲の請求項７によって規定される。
【００２１】
一方で前記端末および／または前記カップリングインターフェースと、他方で前記供給サーバとの間で交換されるパケット信号の前記アクセスシステムに料金請求を導入することによって、動的かつ効率的な作用が、動的かつ効率的な料金請求をもたらす。
【００２２】
本発明は、サービスパラメータによって定義されたサービスを提供するためのカップリングを介し、かつネットワークにアクセスするためのアクセスシステムを介して、カップリングインターフェースを備えた端末と供給サーバとの間で通信するための方法を行うためのアクセスシステムにも関し、このアクセスシステムは、信号を送信および受信するためのアクセストランシーバを制御するためのアクセスプロセッサシステムを含む。
【００２３】
本発明によるアクセスシステムは、前記アクセスプロセッサシステムが、
（ａ）前記サービス選択サーバから構成信号を受信するための受信プロセッサシステム部と、
（ｂ）前記構成信号に応じて、前記アクセスシステムの少なくとも一部および前記カップリングの少なくとも一部を構成するための構成プロセッサシステム部とを含むことを特徴とする。
【００２４】
さらに、本発明は、信号を送信および受信するためのアクセストランシーバを制御するため、およびサービスパラメータによって定義されたサービスを提供するためのカップリングを介し、かつネットワークにアクセスするためのアクセスシステムを介して、カップリングインターフェースを備えた端末と供給サーバとの間で通信するための方法を行うための前記アクセスシステムにおいて使用するためのアクセスプロセッサシステムを介して実行されるアクセスプロセッサプログラム製品にも関する。
【００２５】
本発明によるアクセスプロセッサプログラム製品は、
（ａ）前記サービス選択サーバから構成信号を受信する機能と、
（ｂ）前記構成信号に応じて、前記アクセスシステムの少なくとも一部、および前記カップリングの少なくとも一部を構成する機能とを含むことを特徴とする。
【００２６】
本発明は、サービスパラメータによって定義されたサービスを提供するためのカップリングを介し、かつネットワークにアクセスするためのアクセスシステムを介して、カップリングインターフェースを備えた端末と供給サーバとの間で通信するための方法を行うためのサービス選択サーバであって、信号を送信および受信するためのサービス選択サーバトランシーバを制御するためのサービス選択サーバプロセッサシステムを含むサービス選択サーバにも関する。
【００２７】
本発明によるサービス選択サーバは、前記サービス選択サーバプロセッサシステムが、
（ａ）前記端末からサービス選択信号を受信するための受信プロセッサシステム部と、
（ｂ）前記アクセスシステムの少なくとも一部および前記カップリングの少なくとも一部を構成するために、サービス定義信号に応じて、構成信号を発生し、かつ前記構成信号を前記アクセスシステムに送信するための構成プロセッサシステム部と、
（ｃ）サービス情報信号を発生し、かつ前記サービス情報信号を前記端末に送信するための発生プロセッサシステム部とを含むことを特徴とする。
【００２８】
さらに、本発明は、信号を送信および受信するためのサービス選択サーバトランシーバを制御するため、および、サービスパラメータによって定義されたサービスを提供するためのカップリングを介し、かつネットワークにアクセスするためのアクセスシステムを介して、カップリングインターフェースを備えた端末と供給サーバとの間で通信するための方法を行うためのサービス選択サーバにおいて使用するためのサービス選択サーバプロセッサシステムを介して実行されるサービス選択サーバプログラム製品にも関する。
【００２９】
本発明によるサービス選択サーバプログラム製品は、前記サービス選択サーバプログラム製品が、
（ａ）前記端末からサービス選択信号を受信する機能と、
（ｂ）前記アクセスシステムの少なくとも一部および前記カップリングの少なくとも一部を構成するために、サービス定義信号に応じて、構成信号を発生し、前記構成信号を前記アクセスシステムに送信する機能と、
（ｃ）サービス情報信号を発生し、かつ前記サービス情報信号を前記端末に送信する機能とを含むことを特徴とする。
【００３０】
本発明は、サービスパラメータによって定義されたサービスを提供するためのカップリングを介し、かつネットワークにアクセスするためのアクセスシステムを介して、カップリングインターフェースを備えた前記端末と供給サーバとの間で通信するための方法を行うための端末であって、信号を送信および受信するための端末トランシーバを制御するための端末プロセッサシステムを含む端末にさらに関する。
【００３１】
本発明による端末は、前記端末プロセッサシステムが、
（ａ）サービス選択信号を発生し、かつ前記サービス選択信号を前記端末からサービス選択サーバに送信するための選択プロセッサシステム部と、
（ｃ）前記サービス選択サーバからサービス情報信号を受信するための受信プロセッサシステム部と、
（ｄ）少なくとも１つのサービスパラメータによって定義される少なくとも１つのカップリングを介して、前記供給サーバと通信するための通信プロセッサシステム部とを含むことを特徴とする。
【００３２】
さらに、本発明は、信号を送信および受信するための端末トランシーバを制御するため、およびサービスパラメータによって定義されたサービスを提供するためのカップリングを介し、かつネットワークにアクセスするためのアクセスシステムを介して、カップリングインターフェースを備えた端末と供給サーバとの間で通信するための前記方法を行うための端末において使用するための端末プロセッサシステムを介して実行される、端末プロセッサプログラム製品に関する。
【００３３】
本発明による端末プロセッサプログラム製品は、
（ａ）サービス選択信号を発生し、かつ前記サービス選択信号を前記端末からサービス選択サーバに送信する機能と、
（ｃ）前記サービス選択サーバからサービス情報信号を受信する機能と、
（ｄ）少なくとも１つのサービスパラメータによって定義される少なくとも１つのカップリングを介して、前記供給サーバと通信する機能とを含むことを特徴とする。
【００３４】
本発明は、サービスパラメータによって定義されたサービスを提供するためのカップリングを介し、かつネットワークにアクセスするためのアクセスシステムを介して、カップリングインターフェースを備えた端末と供給サーバとの間で通信するための方法を行うためのカップリングインターフェースであって、信号を送信および受信するためのカップリングインターフェーストランシーバを制御するためのカップリングインターフェースプロセッサシステムを含むカップリングインターフェースにもさらに関する。
【００３５】
本発明によるカップリングインターフェースは、前記カップリングインターフェースプロセッサシステムが、
（ａ）前記端末からサービス選択信号を受信し、かつサービス選択サーバに前記サービス選択信号を送信するためのトランシービングプロセッサシステム部と、
（ｃ）前記サービス選択サーバからサービス情報信号を受信するための受信プロセッサシステム部と、
（ｄ）少なくとも１つのサービスパラメータによって定義される少なくとも１つのカップリングを介して、前記供給サーバと通信するための通信プロセッサシステム部とを含むことを特徴とする。
【００３６】
本発明は、信号を送信および受信するためのカップリングインターフェーストランシーバを制御するため、および、サービスパラメータによって定義されたサービスを提供するためのカップリングを介し、かつネットワークにアクセスするためのアクセスシステムを介して、カップリングインターフェースを備えた端末と供給サーバとの間で通信するための方法を行うための前記カップリングインターフェースにおいて使用するためのカップリングインターフェースプロセッサシステムを介して実行されるカップリングインターフェースプロセッサプログラム製品にもさらに関する。
【００３７】
本発明によるカップリングインターフェースプロセッサプログラム製品は、
（ａ）前記端末からサービス選択信号を受信し、かつ前記サービス選択信号をサービス選択サーバに送信するする機能と、
（ｃ）前記サービス選択サーバからサービス情報信号を受信する機能と、
（ｄ）少なくとも１つのサービスパラメータによって定義される少なくとも１つのカップリングを介して前記供給サーバと通信する機能とを含むことを特徴とする。
【００３８】
さらに、本発明は、サービスパラメータによって定義されたサービスを提供するためのカップリングを介し、かつネットワークにアクセスするためのアクセスシステムを介して、カップリングインターフェースを備えた端末と供給サーバとの間で通信するための方法において使用するための供給サーバであって、信号を送信および受信するための供給サーバトランシーバを制御するための供給サーバプロセッサシステムを含む供給サーバに関する。
【００３９】
本発明による供給サーバは、前記供給サーバプロセッサシステムが、
（ｆ１）サービス選択サーバから要求信号またはサービス選択信号を受信するための受信プロセッサシステム部と、
（ｆ２）前記要求信号または前記サービス選択信号に応じて、サービス定義信号を発生するための発生プロセッサシステム部と、
（ｆ３）前記サービス選択サーバに前記サービス定義信号を送信するための送信プロセッサシステム部と、
（ｆ４）少なくとも１つのサービスパラメータによって定義される少なくとも１つのカップリングを介して前記端末と通信するための通信プロセッサシステム部とを含むことを特徴とする。
【００４０】
さらに、本発明は、信号を送信および受信するための供給サーバトランシーバを制御するため、およびサービスパラメータによって定義されたサービスを提供するためのカップリングを介し、かつネットワークにアクセスするためのアクセスシステムを介して、カップリングインターフェースを備えた端末と供給サーバとの間で通信するための方法を行うための前記供給サーバにおいて使用するための供給サーバプロセッサシステムを介して実行される供給サーバプロセッサプログラム製品に関する。
【００４１】
本発明による供給サーバプロセッサプログラム製品は、
（ｆ１）サービス選択サーバから要求信号または前記サービス選択信号を受信する機能と、
（ｆ２）前記要求信号または前記サービス選択信号に応じて、サービス定義信号を発生する機能と、
（ｆ３）前記サービス選択サーバに前記サービス定義信号を送信する機能と、
（ｆ４）少なくとも１つのサービスパラメータによって定義される少なくとも１つのカップリングを介して前記端末と通信する機能とを含むことを特徴とする。
【００４２】
本発明によるアクセスシステム、本発明によるアクセスプロセッサプログラム製品、本発明によるサービス選択サーバ、本発明によるサービス選択サーバプログラム製品、本発明による端末、本発明による端末プロセッサプログラム製品、本発明によるカップリングインターフェース、本発明によるカップリングインターフェースプロセッサプログラム製品、本発明による供給サーバ、および本発明による供給サーバプロセッサプログラム製品の実施形態は、本発明による方法の実施形態に対応する。
【００４３】
本発明は、とりわけ従来技術のサービスが、静的に選択され、かつ静的に指定され、従来技術のネットワークが、非効率的に使用されている認識に基づき、また、とりわけ前記サービス選択信号、前記サービス定義信号、前記構成、および前記サービス情報信号が導入される基本的な考えに基づく。
【００４４】
本発明は、とりわけより動的かつより効率的な方法を提供する問題を解決し、また、とりわけサービスが、動的に選択されることができ、かつ動的に指定され、ネットワークが効率的に使用され、端末および／またはカップリングインターフェースが、動的に情報を与えられ、かつより効率的にされることにおいて有利である。
【００４５】
本発明のこれらの態様および他の態様は、以下に説明される実施形態から明らかであり、これを参照して説明される。
【発明を実施するための最良の形態】
【００４６】
例えば、移動体通信システムまたは固定通信システムなどのような図１に示すシステムは、端末１、７、および８を含む。これらの端末は、カップリングインターフェース２に結合される。カップリングインターフェース２は、カップリング３を介してさらにアクセスシステム４に結合される。アクセスシステム４は、サービス選択サーバ９に結合され、かつネットワーク５を介して供給サーバ６にさらに結合される。移動体の状況の場合、カップリング３の少なくとも一部は無線カップリングであり、固定の状況の場合は、カップリング３の少なくとも一部が有線カップリングである。
【００４７】
端末１は、端末プロセッサシステム１０を含み、端末プロセッサシステム１０は、端末トランシーバ１７の入／出力、メモリ１８、およびマンマシンインターフェース１９またはＭＭＩ１９に結合される。プロセッサシステム１０は、１つまたは複数のプロセッサ、例えばプロセッサシステム部１１〜１６を含むが、他のおよびさらなるプロセッサシステム部を排除しない。各プロセッサシステム部１１〜１６は、１００％ハードウェア、１００％ソフトウェア、または両者の混合物である。トランシーバ１７のさらなる入／出力は、カップリングインターフェース２のカップリングインターフェーストランシーバ２７に、（有線（家庭）ネットワークの場合は有線の、または無線（家庭）ネットワークの場合は無線の）カップリングを介して結合される。カップリングインターフェーストランシーバ２７は、さらに、（可能であれば端末１と同等の）端末７および８に結合され、かつカップリング３を介してアクセストランシーバ４７に結合される。カップリングインターフェース２は、カップリングプロセッサシステム２０をさらに含む。カップリングプロセッサシステム２０は、１つまたは複数のプロセッサ、例えばプロセッサシステム部２１〜２６を含むが、他のおよびさらなるプロセッサシステム部を排除しない。各プロセッサシステム部２１〜２６は、１００％ハードウェア、１００％ソフトウェア、または両者の混合物である。
【００４８】
アクセスシステム４は、前記アクセストランシーバ４７を含み、アクセストランシーバ４７は、サービス選択サーバ９およびアクセスプロセッサシステム４０にさらに結合される。アクセスプロセッサシステム４０は、１つまたは複数のプロセッサ、例えばプロセッサシステム部４１〜４６を含むが、他のおよびさらなるプロセッサシステム部を排除しない。各プロセッサシステム部４１〜４６は、１００％ハードウェア、１００％ソフトウェア、または両者の混合物である。アクセスプロセッサシステム４０は、メモリ４８およびインターフェース４９にさらに結合される。アクセスシステム４は、前記アクセスプロセッサシステム４０に結合され、かつトランシーバスイッチインターフェース５１を介して前記アクセストランシーバ４７に結合されるスイッチ５０（または、例えば、ブリッジまたはルータなどの他の転送モジュール）を含む。スイッチ５０は、ネットワーク５を介したカップリングを介して供給サーバ６にさらに結合される。代わりに、供給サーバ６は、アクセストランシーバ４７を介してアクセスシステム４に結合されてもよく、および／または、アクセストランシーバ４７、スイッチ５０、およびトランシーバスイッチインターフェース５１が互いに完全に一体化され、１つの単独のユニットを形成してもよい。
【００４９】
例えばビデオオンデマンドサービスの場合、前記供給サーバ６は、例えばコンテンツプロバイダのサーバに対応し、例えばオーディオ／ビデオコールまたはボイスオーバーインターネットプロトコルコールの場合、前記供給サーバ６は、例えば他の端末などに対応する。前記端末１、７、および８は、例えばパソコンなどにそれぞれ対応し、前記カップリングインターフェース２は、例えばデジタル加入者回線アクセスマルチプレクサなどに対応し、前記アクセスシステム４は、例えば広帯域遠隔アクセスサーバに対応し、カップリング３の部分は、例えば非同期転送モードパイプ、マルチプロトコルラベルシステム、インターネットプロトコルカップリングなどに対応する。
【００５０】
供給サーバ６は、供給サーバプロセッサシステム６０を含み、供給サーバプロセッサシステム６０は、供給サーバトランシーバ６７の入／出力、メモリ６８、およびマンマシンインターフェース６９またはＭＭＩ６９に結合される。プロセッサシステム６０は、１つまたは複数のプロセッサ、例えばプロセッサシステム部６１〜６６を含むが、他のおよびさらなるプロセッサシステム部を排除しない。各プロセッサシステム部６１〜６６は、１００％ハードウェア、１００％ソフトウェア、または両者の混合物である。トランシーバ６７のさらなる入／出力は、前記ネットワーク５を介して前記スイッチ５０に結合され、トランシーバ６７のさらにさらなる入／出力は、サービス選択サーバ９に結合される。
【００５１】
サービス選択サーバ９は、サービス選択サーバプロセッサシステム９０を含み、サービス選択サーバプロセッサシステム９０は、サービス選択サーバトランシーバ９７の入／出力、メモリ９８、およびマンマシンインターフェース９９またはＭＭＩ９９に結合される。プロセッサシステム９０は、１つまたは複数のプロセッサ、例えばプロセッサシステム部９１〜９６を含むが、他のおよびさらなるプロセッサシステム部を排除しない。各プロセッサシステム部９１〜９６は、１００％ハードウェア、１００％ソフトウェア、または両者の混合物である。トランシーバ９７のさらなる入／出力は、前記トランシーバ４７に結合され、トランシーバ９７のさらにさらなる入／出力は、前記トランシーバ６７に結合される。
【００５２】
カップリングインターフェース２とサービス選択サーバ９との間に存在する恒久的なチャネルについて、フローチャートの形で図２に示す本発明による方法において、各ブロックは以下の意味を有する。
ブロック１００：端末１におけるユーザが、端末１のサービス選択アプリケーションを介してサービスを選択する。
ブロック１０１：端末１のサービス選択アプリケーションが、恒久的なチャネルを介してサービス選択サーバ９に情報を与える。
ブロック１０２：サービス選択サーバ９が、到達すべきそれ自体のメモリまたは第三者のいずれかを、カップリング３またはネットワーク５を介して調査する。
ブロック１０３：サービス選択サーバ９が、認証および／または認可の目的のためにカップリング３またはネットワーク５を介して、端末１、サービス選択サーバ９自体のメモリ、メモリ４８、および／または他の到達すべき位置からのユーザデータを検索する。
ブロック１０４：サービス選択サーバ９が、１つまたは複数の構成信号を送ることによって、アクセスシステム４、カップリング３、および／またはカップリングインターフェース２を構成する。
ブロック１０５：サービス選択サーバ９は、構成について恒久的なチャネルを介して端末１のサービス選択アプリケーションに情報を与える。
ブロック１０６：端末１のサービス選択アプリケーションが、構成について非同期転送モード終端点に情報を与える。
ブロック１０７：非同期転送モード終端点およびアクセスシステム４は、端末１から供給サーバ６に１つまたは複数の仮想接続をセットアップする。
ブロック１０８：端末１のサービス選択アプリケーションが、サービス選択サーバ９に確立を肯定応答する。
ブロック１０９：前記端末１と前記供給サーバ６との間の通信が料金請求される。
【００５３】
図２に示される本発明による方法は、図１に示されるシステムの観点から、以下のように機能する。端末１におけるユーザが、端末１および／またはカップリングインターフェース２のサービス選択アプリケーションを介してサービスを選択する（ブロック１００）。このサービス選択アプリケーションは、例えばプロセッサシステム１０を介して動作するソフトウェア、ウェブページ、またはｊａｖａアプレットを含むウェブページなどのようなアプリケーションに対応してもよい。このサービスは、例えばビデオオンデマンドサービス、オーディオ／ビデオコールまたはボイスオーバーインターネットプロトコルコールなどに対応してもよい。続いて、端末１および／またはカップリングインターフェース２のサービス選択アプリケーションは、恒久的なチャネルを介してサービス選択サーバ９に情報を与える（ブロック１０１）。このサービス選択サーバ９は、プロセッサシステム４０のプロセッサの１つまたは（可能であればカップリング３またはネットワーク５を介して）前記プロセッサシステム４０などに結合される独立したサーバに対応してもよい。ブロック１００および１０１の双方を合わせて前記端末１におけるステップ（ａ）を形成し、サービス選択信号を発生し、前記サービス選択信号を前記端末１から前記サービス選択サーバ９に送信する。
【００５４】
サービス選択サーバ９は、それ自体のメモリまたは他に位置する第三者のいずれかを調査する（ブロック１０２）。これは、前記サービス選択サーバ９において、前記サービス選択信号に応じて、前記サービス定義信号を発生するステップ（ｂ１）、または前記サービス選択サーバ９において、前記サービス選択信号によって定義される前記供給サーバ６から前記サービス定義信号を、ネットワーク５およびアクセスシステム４を介して間接的に、または供給サーバ６から直接的にのいずれかで、（前記供給サーバ６が、それによって、（要求信号を介して）サービス選択サーバ９によって調査されてか、または、例えば前記サービス選択信号を受信し、それに応じて、前記サービス定義信号で応答して）受信するステップ（ｂ２）を形成する。サービス選択サーバ９は、認証および／または認可の目的のために、端末１、それ自体のメモリ、メモリ４８、および／または他の位置からのユーザデータをさらに検索することができる（ブロック１０３）。
【００５５】
続いて、サービス選択サーバ９は、１つまたは複数の構成信号を発生し、かつ送ることによって、アクセスシステム４、カップリング３、および／またはカップリングインターフェース２を構成する（ブロック１０４）。これは、前記アクセスシステム４の少なくとも一部および前記カップリング３の少なくとも一部（および／またはカップリングインターフェース２の部分）を構成するために、前記サービス選択サーバ９において、サービス定義信号に応じて、構成信号を発生し、かつ前記構成信号を前記アクセスシステム４に送信するステップ（ｂ）を形成する。サービス選択サーバ９は、恒久的なチャネルを介して、端末１のサービス選択アプリケーションに構成について情報を与える（ブロック１０５）。これは、前記サービス選択サーバ９において、サービス情報信号を発生し、かつ前記サービス情報信号を前記端末１および／または前記カップリングインターフェース２に送信するステップ（ｃ）を形成する。
【００５６】
端末１のサービス選択アプリケーションは、非同期転送モード終端点に構成について情報を与えることができる（ブロック１０６）。イーサネット（登録商標）モデムを含むトランシーバ１７および／またはトランシーバ２７の場合、非同期転送モード層はモデム内で終了し、前記非同期転送モード終端点は前記モデムに対応する。ユニバーサルシリアルバスデジタル加入者回線モデムを含む前記トランシーバ１７および／またはトランシーバ２７の場合、非同期転送モード層は、プロセッサシステム１０および／またはプロセッサシステム２０において終了し、前記非同期転送モード終端点は、プロセッサシステム１０および／またはプロセッサシステム２０に対応する。
【００５７】
ビデオオンデマンドサービスの場合の、コンテンツプロバイダのサーバ、およびオーディオ／ビデオコールまたはボイスオーバーインターネットプロトコルコールの場合の、他の端末などのように、非同期転送モード終端点（トランシーバ１７および／または２７、および／またはプロセッサシステム１０および／または２０）およびアクセスシステム４は、端末１および／またはカップリングインターフェース２から、カップリング３およびアクセスシステム４を介して供給サーバ６に１つまたは複数の仮想接続をセットアップする（ブロック１０７）。続いて、端末１および／またはカップリングインターフェース２のサービス選択アプリケーションは、サービス選択サーバ９および／またはアクセスシステム４に確立を肯定応答する（ブロック１０８）。ブロック１０７は、可能であればブロック１０８と共に、前記端末１および／または前記カップリングインターフェース２において、少なくとも１つのサービスパラメータによって定義される少なくとも１つのカップリング３を介して、前記供給サーバ６と通信するステップ（ｄ）を形成する。
【００５８】
前記端末１および／またはカップリングインターフェース２と前記供給サーバ６との間で交換される（ことになる）（パケット／セル／フレーム）信号は、料金請求され（ブロック１０９）、これはステップ（ｅ）を形成する。
【００５９】
例えば、カップリング３の一部を構成してもしなくてもよく、アクセスシステム４を介して流れても流れなくてもよい常時オンチャネルなどのような、カップリングインターフェース２とサービス選択サーバ９との間に存在する恒久的なチャネルによって、ステップ（ｄ）は、前記端末１および／または前記カップリングインターフェース２において、前記サービス情報信号に応じて、前記端末１および／または前記カップリングインターフェース２の一部を構成するステップ（ｄ１）、および、前記端末１および／または前記カップリングインターフェース２において、前記カップリングインターフェース２から前記アクセスシステム４に仮想接続をセットアップするステップ（ｄ２）、および、前記アクセスシステム４において、前記アクセスシステム４から前記供給サーバ６に仮想接続をセットアップするステップ（ｄ３）を含むことができる。前記サービスパラメータは、前記サービス情報信号を介して前記端末１および／または前記カップリングインターフェース２に供給される。
【００６０】
ステップ（ａ）を導入することによって、端末１におけるユーザは、例えばウエブをサーフィングする、電話をかける、有料テレビチャネルを注文するなどのような多くのサービスから１つを選択する選択オプションを得る。ステップ（ｂ）によって、例えばトランシーバ４７に位置する、例えばモデム、フィルタ、（復）変調器、（逆）変換器などのアクセスシステム４の部分、および例えば非同期転送モードパイプ、マルチプロトコルラベルシステム、インターネットプロトコルカップリングなどのカップリング３の部分は、前記サービス定義信号に準拠して構成される。ステップ（ｃ）を導入することによって、端末１および／またはカップリングインターフェース２は、例えば使用されるカップリング３などを定義するサービス情報信号を介して情報を与えられる。最後に、ステップ（ｄ）によって、例えば少なくとも１つのサービスパラメータを含む信号は、サービスパラメータによって定義されるカップリング３を介して交換される。
【００６１】
前記サービス選択信号、前記サービス定義信号、前記構成、および前記サービス情報信号の働きによって、サービスは動的に選択でき、（サービス定義信号によって）動的に指定され、ネットワークは効率的に使用される（前記構成は、例えばカップリング３などが帯域幅、遅延、ジッタ、優先度などに関して適合されることを可能にする）。サービス情報信号は、端末１および／またはカップリングインターフェース２に動的に情報を与え、かつ端末１および／またはカップリングインターフェース２の効率を上げるために使用される。
【００６２】
例えばトランシーバ１７および／または２７に位置する、例えばモデム、フィルタ、（復）変調器、（逆）変換器などのような端末１および／またはカップリングインターフェース２の部分は、前記サービス定義信号に準拠するように構成される。また、前記サービスパラメータは、前記サービス情報信号を介して前記端末１および／またはカップリングインターフェース２に供給されることができる。
【００６３】
交換される前記（パケット／セル／フレーム）信号は、例えばインターネットプロトコルアドレス、マルチプロトコル層システムアドレス、またはローカルエリアネットワークアドレスなどのようなアドレスを含むことができる。前記ネットワーク５は、例えばインターネットプロトコルネットワーク、マルチプロトコル層システムネットワーク、またはローカルエリアネットワークなどであってもよい。前記サービスパラメータは、例えば非同期転送モードサービス品質パラメータ、不非同期転送モードサービス品質パラメータ、インターネットプロトコルサービスパラメータ、マルチプロトコル層システムサービスパラメータ、またはローカルエリアネットワークサービスパラメータなどであってもよい。前記カップリング３およびネットワーク５は、一致し、かつ１つの新しいネットワークを形成することができる。トランシーバ６７と９７との間の前記直接カップリングは、ネットワーク５の一部を形成してもしなくてもよい。トランシーバ６７および９７は、２つの出カップリングおよび入カップリングの１つを介して送信および受信を可能にするために、例えばマルチプレクサ（デマルチプレクサ）、ミニスイッチ、ミニブリッジ、ミニルータ、および／またはミニ転送器などをそれぞれ含み、例えば前記プロセッサシステム６０および９０は、適切なアドレス指定および制御などの処理をする。
【００６４】
カップリングインターフェース２とサービス選択サーバ９との間に存在する非恒久的なチャネルについて、フローチャートの形態で図３に示される本発明による方法において、各ブロックは以下の意味を有する。
ブロック２００：端末１におけるユーザが、端末１におけるサービス選択アプリケーションを介してサービスを選択する。
ブロック２０１：端末１におけるサービス選択アプリケーションが、メモリ１８を調査するか、またはサービス定義信号自体を発生するかのいずれかを行う。
ブロック２０２：端末１のサービス選択アプリケーションは、構成について端末１の非同期転送モード終端点に情報を与える。
ブロック２０３：非同期転送モード終端点が、端末１からサービス選択サーバ９に１つまたは複数の仮想接続をセットアップする。
ブロック２０４：端末１のサービス選択アプリケーションが、例えばカップリング３を介してセットアップされる前記１つまたは複数の仮想接続を介して、サービス選択サーバ９に情報を与える。
ブロック２０５：サービス選択サーバ９が、それ自体のメモリ、またはカップリング３またはネットワーク５を介して到達される他に位置する第三者のいずれかを調査する。
ブロック２０６：サービス選択サーバ９が、認証および／または認可の目的のために、端末１、それ自体のメモリ、メモリ４８、および／またはカップリング３またはネットワーク５を介して到達される他の位置からのユーザデータを検索する。
ブロック２０７：サービス選択サーバ９が、アクセスシステム４、カップリング３、および／またはカップリングインターフェース２を構成する。
ブロック２０８：非同期転送モード終端点および／またはアクセスシステム４が、アクセスシステム４から供給サーバ６に１つまたは複数の仮想接続をセットアップする。
ブロック２０９：前記端末１と前記アクセスシステム４との間で交換される（ことになる）信号が、料金請求される。
【００６５】
図３に示される本発明による方法は、図１に示されるシステムの観点から、図２に示される方法の説明と同様に機能する。さらに、カップリング３の一部を形成してもしなくてもよく、かつアクセスシステム４を介して流れても流れなくてもよい、例えば従来の電話回線接続などのような、カップリングインターフェース２とサービス選択サーバ９との間に存在する非恒久的なチャネルによって、ステップ（ａ）は、前記端末１および／または前記カップリングインターフェース２において、（例えば、以前使用された古いサービス定義信号、または前記セットアップのために使用される所定のサービス定義信号などを指す）前記サービス選択信号に応じて、例えばカップリング３を介して、前記カップリングインターフェース２から前記サービス選択サーバ９に仮想接続をセットアップするステップ（ａ１）、および、前記端末１および／または前記カップリングインターフェース２において、前記サービス選択信号に応じて、前記端末１および／または前記カップリングインターフェース２の部分を構成するステップ（ａ２）を含むことができる。ステップ（ｄ）は、前記アクセスシステム４において、前記アクセスシステム４から前記供給サーバ６に仮想接続をセットアップするステップ（ｄ３）を含むことができ、前記サービスパラメータが、前記端末１および／または前記カップリングインターフェース２に事前格納される。さらに、ステップ（ｄ）は、例えば前記以前に使用された古いサービス定義信号または前記セットアップのために使用される前記事前定義のサービス定義信号を適合するために、前記端末１および／または前記カップリングインターフェース２において、前記サービス情報信号に応じて、前記端末１および／または前記カップリングインターフェース２の一部を再構成するステップ（ｄ４）を含むことができる。
【００６６】
例えば、トランシーバ１７および／または２７に位置する、例えばモデム、フィルタ、（復）変調器、（逆）変換器などのような、端末１および／またはカップリングインターフェース２は、前記サービス選択信号に準拠するように構成される。これによって、前記サービスパラメータは、前記端末１および／またはカップリングインターフェース２に事前格納される。
【００６７】
アクセスプロセッサシステム４０は、プロセッサシステム部４１〜４６を含む。プロセッサシステム部４１は、例えば、（ａ）前記サービス選択サーバ９から構成信号を受信するための受信プロセッサシステム部４１である。プロセッサシステム部４２は、例えば、（ｂ）前記構成信号に応じて、前記アクセスシステム４の少なくとも一部および前記カップリング３の少なくとも一部を構成するための構成プロセッサシステム部４２である。プロセッサシステム部４３は、例えば、（ｃ）サービス情報信号を発生／転送し、かつ前記サービス情報信号を前記端末１に送信するための発生／転送プロセッサシステム部４３である。プロセッサシステム部４４は、例えば、（ｄ１）前記サービス定義信号を発生するための発生プロセッサシステム部４４である。プロセッサシステム部４５は、例えば、前記サービス選択信号によって定義される前記供給サーバ６から、前記サービス定義信号を受信するための受信プロセッサシステム部４５である。プロセッサシステム部４６は、例えば、（ｄ３）前記アクセスシステム４から前記ネットワーク５を介して前記供給サーバ６に、仮想接続をセットアップするためのセットアッププロセッサシステム部である。
【００６８】
サービス選択サーバプロセッサシステム９０は、プロセッサシステム部９１〜９６を含む。プロセッサシステム部９１は、例えば、（ａ）前記端末１からサービス選択信号を受信する（１００、１０１）ための受信プロセッサシステム部９１である。プロセッサシステム部９２は、例えば、（ｂ）前記アクセスシステム４の少なくとも一部および前記カップリング３の少なくとも一部を構成する（１０４）ために、サービス定義信号に応じて、構成信号を発生し、かつ前記構成信号を前記アクセスシステム４に送信するための構成プロセッサシステム部９２である。プロセッサシステム部９３は、（ｃ）サービス情報信号を発生し、かつ前記サービス情報信号を前記端末１に送信する（１０５）ための発生プロセッサシステム部９３である。
【００６９】
端末プロセッサシステム１０は、プロセッサシステム部１１〜１６を含む。プロセッサシステム部１１は、例えば、（ａ）サービス選択信号を発生し、かつ前記サービス選択信号を前記端末１から前記サービス選択サーバ９に送信する（１００、１０１）ための選択プロセッサシステム部１１である。プロセッサシステム部１２は、例えば、（ｃ）前記サービス選択サーバ９からサービス情報信号を受信する（１０５）ための受信プロセッサシステム部１２である。プロセッサシステム部１３は、例えば、（ｄ）少なくとも１つのサービスパラメータによって定義される少なくとも１つのカップリング３を介して、前記供給サーバ６と通信する（１０７、１０８）ための通信プロセッサシステム部１３である。プロセッサシステム部１４は、例えば、（ｄ１）または（ａ２）前記端末１および／または前記カップリングインターフェース２の部分を、前記サービス情報信号に応じて構成するための構成プロセッサシステム部であってもよい。プロセッサシステム部１５は、例えば、（ｄ２）または（ａ１）前記カップリングインターフェース２から前記アクセスシステム４に仮想接続をセットアップするためのセットアッププロセッサシステム部であってもよい。
【００７０】
カップリングインターフェースプロセッサシステム２０は、プロセッサシステム部２１〜２６を含む。プロセッサシステム部２１は、例えば、（ａ）前記端末１からサービス選択信号を受信し、かつ前記サービス選択信号を前記サービス選択サーバ９に送信するためのトランシービングプロセッサシステム部２１である。プロセッサシステム部２２は、例えば、（ｃ）前記サービス選択サーバ９からサービス情報信号を受信するための受信プロセッサシステム部２２である。プロセッサシステム部２３は、例えば、（ｄ）少なくとも１つのサービスパラメータによって定義される少なくとも１つのカップリング３を介して、前記供給サーバ６と通信する（１０７、１０８）ための通信プロセッサシステム部１３である。プロセッサシステム部２４は、例えば、（ｄ１）または（ａ２）前記端末１および／または前記カップリングインターフェース２の部分を、前記サービス情報信号に応じて構成するための構成プロセッサシステム部であってもよい。プロセッサシステム部２５は、例えば、（ｄ２）または（ａ１）前記カップリングインターフェース２から前記アクセスシステム４に仮想接続をセットアップするためのセットアッププロセッサシステム部であってもよい。
【００７１】
供給サーバプロセッサシステム６０は、プロセッサシステム部６１〜６６を含む。プロセッサシステム部６１は、例えば、（ｆ１）サービス選択サーバ９から要求信号またはサービス選択信号を受信するための受信プロセッサシステム部６１である。プロセッサシステム部６２は、例えば、（ｆ２）前記要求信号または前記サービス選択信号に応じて、サービス定義信号を発生するための発生プロセッサシステム部６２である。プロセッサシステム部６３は、例えば、（ｆ３）前記サービス選択サーバ９に前記サービス定義信号を送信するための送信プロセッサシステム部６３である。プロセッサシステム部６４は、例えば、（ｆ４）少なくとも１つのサービスパラメータによって定義される少なくとも１つのカップリング３を介して、前記端末１と通信する（１０７、１０８）ための通信プロセッサシステム部である。
【００７２】
例えば「交換するため」および「供給するため」などにおける表現「するため」は、同時であってもなくても、他の機能も同じく行われることを排除しない。表現「Ｙに結合されたＸ」、「ＸとＹとの間のカップリング」、および「カップリング／カップルＸおよびＹ」などは、要素ＺがＸとＹとの間にあることを排除しない。表現「ＰはＱを含む」および「Ｑを含むＰ」などは、要素Ｒも同じく含まれることを排除しない。用語「１つの」は、１つまたは複数の可能な存在を排除しない。端末１とアクセスシステム４との間には、２つ以上のカップリングインターフェース２が存在してもよい。恒久的なチャネル３または非恒久的なチャネル３は、パケットスイッチカップリング３に一致してもしなくてもよく、一致しない場合、これは完全に異なったカップリングとなることがある。図２および３を利用して検討された非同期転送モード終端点は、単に例であり、代わりにマルチプロトコル層システム終端点またはローカルエリアネットワーク終端点などであってもよい。これに対応して、本記載において使用される用語「非同期転送モード」は、単に例であって、代わりにマルチプロトコル層システムまたはローカルエリアネットワークなどであってもよい。
【００７３】
本発明は、とりわけ従来技術のサービスが、静的に選択され、かつ静的に指定され、従来技術のネットワークが、非効率的に使用されている認識に基づき、また、とりわけ前記サービス選択信号、前記サービス定義信号、前記構成、および前記サービス情報信号が導入される基本的な考えに基づく。
【００７４】
本発明は、とりわけより動的かつより効率的な方法を提供する問題を解決し、とりわけサービスが動的に選択され、かつ動的に指定され、ネットワークが効率的に使用され、端末および／またはカップリングインターフェースが動的に情報を与えられ、かつより効率的にされることにおいて有利である。
【図面の簡単な説明】
【００７５】
【図１】本発明による端末、本発明によるカップリングインターフェース、本発明によるアクセスシステム、本発明によるサービス選択サーバ端末、および本発明による供給サーバ端末を含むシステムを、ブロック図の形に示す図である。
【図２】端末とサービス選択サーバとの間に恒久的なチャネルが存在する場合における、本発明による方法をフローチャートの形に示す図である。
【図３】端末とサービス選択サーバとの間に恒久的なチャネルが存在しない場合における、本発明による方法をフローチャートの形に示す図である。
【符号の説明】
【００７６】
１、７、８  端末
２  カップリングインターフェース
３  カップリング
４  アクセスシステム
５  ネットワーク
６  供給サーバ
９  サービス選択サーバ
１０、２０、４０、９０  プロセッサシステム
１７、２７、４７、６７、９７  トランシーバ
１８、４８、６８、９８  メモリ
１９、４９、６９、９９  マンマシンインターフェース
【図１】
2004208283.tif 000003
【図２】
2004208283.tif 000004
【図３】
2004208283.tif 000005
【外国語明細書】
2004208283.tif 000006
2004208283.tif 000007
2004208283.tif 000008
2004208283.tif 000009
2004208283.tif 000010
2004208283.tif 000011
2004208283.tif 000012
2004208283.tif 000013
2004208283.tif 000014
2004208283.tif 000015
2004208283.tif 000016
2004208283.tif 000017
2004208283.tif 000018
2004208283.tif 000019
2004208283.tif 000020
2004208283.tif 000021
2004208283.tif 000022
2004208283.tif 000023
2004208283.tif 000024
2004208283.tif 000025
2004208283.tif 000026
2004208283.tif 000027
2004208283.tif 000028
2004208283.tif 000029
2004208283.tif 000030
2004208283.tif 000031
2004208283.tif 000032
2004208283.tif 000033
2004208283.tif 000034
2004208283.tif 000035
2004208283.tif 000036
2004208283.tif 000037